(57)【要約】【課題】簡単な構成でスタンドの位置保持および起立を容易に行え、コストダウンを図るとともに、作業性を向上させた管理作業機を提供する。【解決手段】車輪７前方の機体前端部であって、エンジン４およびミッションケース５（原動機部）を支える機体フレーム３の前端部に回動自在なスタンド１２を備え、機体フレーム３およびスタンド１２のそれぞれ側部に掛止部材１３，１４を設けるとともに、掛止部材１３，１４の間に付勢部材１５を備えるものである。加えて、スタンド１２の中央近傍である水平部１２ｃ（回動軸）に機体前方に向けてスタンド１２に対して略垂直に接地部材１６を備える。【選択図】図２
2008168683.tif 000002
【特許請求の範囲】
【請求項１】
車輪前方の機体前端部であって、原動機部を支える機体フレームの前端部に回動自在なスタンドを備える管理作業機において、
前記機体フレームおよび前記スタンドのそれぞれ側部に掛止部材を設けるとともに、前記掛止部材の間に付勢部材を備えることを特徴とする管理作業機。
【請求項２】
前記スタンドの中央近傍である回動軸に機体前方に向けて接地部材を備えることを特徴とする、請求項１に記載の管理作業機。
【請求項３】
前記接地部材は、前記スタンドに対して略垂直に備えることを特徴とする、請求項２に記載の管理作業機。
【発明の詳細な説明】
【技術分野】
【０００１】
本発明は、車輪前方の機体前端部であって、原動機部を支える機体フレームの前端部に回動自在なスタンドを備える管理作業機に関し、より詳細には、機体フレームおよびスタンドのそれぞれ側部に掛止部材を設けるとともに、掛止部材の間に付勢部材を備えることに関する。
【背景技術】
【０００２】
従来の管理作業機には、図５に示すように、機体２１に、エンジン２２、ミッションケース２３、ハンドル２４をもつハンドル支持フレーム２５、１つの駆動車輪２６を支持するとともに、機体２１の前方下部に左右一対のスタンド２７を、機体２１に対し起立する起立位置ａと機体２１側の収納位置ｂとにそれぞれ各別に揺動可能に支持し、これら各スタンド２７を起立位置ａから収納位置ｂに位置変更操作可能で、かつ、収納位置ｂで位置保持可能とした操作レバー２８をハンドル２４近くに設けることにより、スタンド２７の起立及び収納作業をハンドル２４の手元側操作で行えるものがある。（特許文献１）
【０００３】
【特許文献１】特開平７−３３０５１号公報
【発明の開示】
【発明が解決しようとする課題】
【０００４】
しかし、このような従来の管理作業機では、スタンドを起立位置と、収納位置との間で回動させた後、スタンドをそれぞれの位置に保持するために、フリクション機構などを有する操作レバーをハンドル近くに別途設けるため、複雑な構成になるとともに、部品点数の増加などによるコストアップのほか、メンテナンス性が低下するという問題があった。また、上記操作レバーを有さない管理作業機では、スタンドを収納位置から起立位置にする際、オペレータがスタンドを足で踏むなどして重い機体を持ち上げなければならず、オペレータに過大な負担をかけるとともに、作業性が低下するという問題もあった。そこで、この発明の目的は、簡単な構成でスタンドの位置保持および起立を容易に行え、コストダウンを図るとともに、作業性を向上させた管理作業機を提供することにある。
【課題を解決するための手段】
【０００５】
このため、請求項１に記載の発明は、車輪前方の機体前端部であって、原動機部を支える機体フレームの前端部に回動自在なスタンドを備える管理作業機において、前記機体フレームおよび前記スタンドのそれぞれ側部に掛止部材を設けるとともに、前記掛止部材の間に付勢部材を備えることを特徴とする。
【０００６】
請求項２に記載の発明は、請求項１に記載の管理作業機において、前記スタンドの中央近傍である回動軸に機体前方に向けて接地部材を備えることを特徴とする。
【０００７】
請求項３に記載の発明は、請求項２に記載の管理作業機において、前記接地部材は、前記スタンドに対して略垂直に備えることを特徴とする。
【発明の効果】
【０００８】
請求項１に記載の発明によれば、車輪前方の機体前端部であって、原動機部を支える機体フレームの前端部に回動自在なスタンドを備える管理作業機において、機体フレームおよびスタンドのそれぞれ側部に掛止部材を設けるとともに、掛止部材の間に付勢部材を備えるので、付勢部材である引張ばねの付勢力により、簡単な構成で容易にスタンドを起立位置と、収納位置とのそれぞれの位置に保持することができる。従って、コストダウンを図った管理作業機を提供することができる。
【０００９】
請求項２に記載の発明によれば、スタンドの中央近傍である回動軸に機体前方に向けて接地部材を備えるので、スタンド収納時に機体を前方に傾斜させるだけで、バーである接地部材が地面に接触してスタンドの接地体を地面から浮かし、付勢部材の付勢力によりスタンドの回動軸を回転させてスタンドを収納位置に容易に回動させることができる。従って、作業性を向上させた管理作業機を提供することができる。
【００１０】
請求項３に記載の発明によれば、接地部材は、スタンドに対して略垂直に備えるので、機体を前方に適度に傾斜させるだけで接地部材が地面に接触してスタンドの接地体を地面から浮かし、付勢部材の付勢力によりスタンドの回動軸を回転させてスタンドを収納位置に容易に回動させることができる。従って、作業性を向上させた管理作業機を提供することができる。
【発明を実施するための最良の形態】
【００１１】
以下図面を参照しつつ本発明を実施するための最良の形態について説明する。
図１は、この発明の一例としての管理作業機の側面図であり、図２は本発明の管理作業機の正面図である。
【００１２】
この例の管理作業機１は、図１に示すように、ハンドル２を設けた機体フレーム３に原動機部であるエンジン４およびミッションケース５を搭載し、ミッションケース５の後部下方にはロータリー耕耘部６が取り付けられるとともに、管理作業機１を移動させるための車輪７が、エンジン４下方に設けられた車軸８に装着される。また、ロータリー耕耘部６は、エンジン４より伝達された駆動力で回転する複数の図示しない耕耘爪を有し、この耕耘爪によって耕作面を耕耘することができる。なお、ロータリー耕耘部６の後方には抵抗棒９が設けられ、符号２０はバンパーである。
【００１３】
そして、図１〜２に示すように、車輪７前方の機体前端部であって、機体フレーム３前端の両側部に、例えば板状の回動部材１１の一方の面の両側部に設けられたステー１１ａがそれぞれ軸支され、この回動部材１１の他方の面に、正面視略大きいコ字型のスタンド１２が取り付けられる。該スタンド１２は、金属製のパイプを略コ字状に屈曲させたものを用いてもよく、正面視末広がりの脚部１２ａと、該脚部１２ａの左右先端部に設けられた接地体１２ｂと、脚部１２ａの中間に位置し、地面に対して水平に設置される水平部１２ｃとから構成され、該水平部１２ｃが回動部材１１に溶接などで固設される。これにより回動部材１１とともにスタンド１２が、機体下部側である収納位置ａと、機体の下方側である起立位置ｂとに回動自在に備えられる。
【００１４】
次に、本願発明の特徴である掛止部材間の付勢部材および接地部材について、その具体的構成を説明する。図３は、収納位置（ａ）および起立位置（ｂ）に有するスタンドを模式的に拡大した斜視図である。
【００１５】
図２〜３に示すように、機体フレーム３前端の一方の外側部には、アルミや鋳鉄など金属からなるピンなどの掛止部材１３が側方に突出して設けられる。この掛止部材１３は、スタンド１２を収納位置ａ周辺に回動させたときに脚部１２ａに接触しない位置に、掛止部材１３の一端部が溶接などで固設される。
【００１６】
また、前記掛止部材１３を有する同じ機体側部であって、スタンド１２の脚部１２ａ中央近傍の内側部には、一端部を溶接などで固設した掛止部材１３と同じ材質を有する掛止部材１４が、掛止部材１３と接触しない位置の内側方に突出して設けられる。なお、掛止部材１４の固設位置は、脚部１２ａの前面もしくは後面に掛止部材１４の中央近傍を固設させて、脚部１２ａを挟み掛止部材１４の両端部が脚部１２ａの両側部から突出する、または脚部１２ａの外側部で外側方に突出させて設けてもよい。
【００１７】
そして、これら掛止部材１３と、脚部１２ａの内側部に有する掛止部材１４とに、引張ばねなどの付勢部材１５のそれぞれ端部が取り付けられる。なお、付勢部材１５の掛止部材１４側端部は、掛止部材１４の上記固設位置により脚部１２ａの外側部に取り付けてもよい。さらには、付勢部材１５は、掛止部材１３および掛止部材１４とともに機体の両側部に設けてもよい。
【００１８】
さらに、スタンド１２における水平部１２ｃの回動部材１１固設面の反対面には、正面視略小さいコ字型のバーなどである接地部材１６が、スタンド１２に対して略垂直方向に取り付けられる。該接地部材１６は、金属製のパイプを略コ字状に屈曲させたものを用いてもよく、接地部材１６の両端部が水平部１２ｃに溶接などで固設される。
【００１９】
ここで、圃場などで作業などを行っている管理作業機１を、一時中断し駐止する場合や、格納する場合には、オペレータは、収納位置ａに有する管理作業機１のスタンド１２を手や足などで接地体１２ｂが地面に接地するまで前方に押すことで、水平部１２ｃを回動軸としてスタンド１２が前方に回動される。
【００２０】
このとき、スタンド１２を収納位置ａ側に引っ張る付勢部材１５が、スタンド１２の前方への回動に伴い支点越えすると、付勢部材１５の付勢方向が変わり、スタンド１２は起立位置ｂ側に引っ張られる力を受ける。そこで、オペレータは、図１の矢印Ａの方向でハンドル２を下方に押し下げるなどしてスタンド１２を上方に浮かすか、ハンドル２を後方に引いて機体を後方に引くことにより、図３（ｂ）に示すように、スタンド１２が起立位置ｂに保持される。
【００２１】
また、駐止や格納され、起立位置ｂにスタンド１２が有する管理作業機１を作業させる場合には、オペレータは、機体を前方に移動させることで、スタンド１２が起立位置ｂから水平部１２ｃを回動軸として後方に回動される。このとき、スタンド１２を起立位置ｂ側に引っ張る付勢部材１５が、スタンド１２の後方への回動に伴い支点越えすると、付勢部材１５の付勢方向が変わり、スタンド１２は収納位置ａ側に引っ張られる力を受ける。
【００２２】
そして、オペレータは、接地部材１６が地面に接地するまでハンドル２を、図１の矢印Ｂの方向で上方に押し上げるなどして機体を前傾させて、接地体１２ｂを地面から離すことにより、図３（ａ）に示すように、スタンド１２が収納位置ａに保持される。なお、接地部材１６がスタンド１２に対して略垂直方向に取り付けられているため、オペレータはハンドル２を適度に上方に押し上げるだけで機体を前傾させることができ、オペレータに負担がかからない構成とされる。
【００２３】
以上のような構成にすることで、付勢部材１５の付勢力により、簡単な構成で容易にスタンド１２を起立位置ａと、収納位置ｂとのそれぞれの位置に保持することができる。また、スタンド１２収納時に機体を前方に適度に傾斜させるだけで、接地部材１６が地面に接触してスタンド１２の接地体１２ｂを地面から浮かし、付勢部材１５の付勢力によりスタンド１２の回動軸を回転させてスタンド１２を収納位置ｂに容易に回動させることができる。
【００２４】
なお、スタンド１２を収納位置ａから起立位置ｂに向けて接地体１２ｂが地面に接地するまで前方に回動させるのみの操作レバー１７をハンドル２などに設けてもよい。この場合、図４に示すように、スタンド１２の脚部１２ａの任意の位置などと、操作レバー１７との間に図示しないバネなどの付勢部材を介在させたロッド１８などを連結させる。
【００２５】
そして、上述したように圃場などで作業などを行っている管理作業機１を、一時中断し駐止する場合や、格納する場合には、オペレータは、収納位置ａに有する管理作業機１のスタンド１２を手元近傍に有する操作レバー１７の回動操作により、ロッド１８がスタンド１２を、その接地体１２ｂが地面に接地するまで前方に押すことで、水平部１２ｃを回動軸としてスタンド１２が前方に回動され、付勢部材１５によりスタンド１２が起立位置ｂに保持される。このときロッド１８は、付勢部材１５により後方に押し戻される構成とされる。これによりオペレータは、ハンドル２を離れて手や足でスタンド１２を前方に押す手間が省け、容易にスタンド１２を収納位置ａから起立位置ｂに回動させることができる。なお、操作レバー１７の設置位置は、ハンドル２に限定されず、フェンダ１９上などのハンドル２近傍であってもよい。
【００２６】
以上詳述したように、この例の管理作業機１は、車輪７前方の機体前端部であって、エンジン４およびミッションケース５（原動機部）を支える機体フレーム３の前端部に回動自在なスタンド１２を備え、機体フレーム３およびスタンド１２のそれぞれ側部に掛止部材１３，１４を設けるとともに、掛止部材１３，１４の間に付勢部材１５を備えるものである。加えて、スタンド１２の中央近傍である水平部１２ｃ（回動軸）に機体前方に向けてスタンド１２に対して略垂直に接地部材１６を備える。
【図面の簡単な説明】
【００２７】
【図１】本発明の管理作業機の側面図である。
【図２】管理作業機の正面図である。
【図３】収納位置（ａ）および起立位置（ｂ）に有するスタンドを模式的に拡大した斜視図である。
【図４】操作レバーおよびロッドを設けた管理作業機の側面図である。
【図５】従来の管理作業機を示す側面図である。
【符号の説明】
【００２８】
１    管理作業機
１１    回動部材
１２    スタンド
１２ａ    脚部
１２ｂ    接地体
１２ｃ    水平部
１３，１４    掛止部材
１５    付勢部材
１６    接地部材
１７    操作レバー
１８    ロッド
【図１】
2008168683.tif 000003
【図２】
2008168683.tif 000004
【図３】
2008168683.tif 000005
【図４】
2008168683.tif 000006
【図５】
2008168683.tif 000007